(57)【要約】【課題】２個の液晶ディスプレイを使用し、かつ、省スペース化を図ったディスプレイ装置を提供する。【解決手段】液晶ディスプレイと、前記液晶ディスプレイを照射するバックライトとを具備するディスプレイ装置であって、前記バックライト（１３０）の両側に第１の液晶ディスプレイ（１１０）と第２の液晶ディスプレイ（１２０）とを設ける。【選択図】　　　　図１
2004004917.tif 000002
【特許請求の範囲】
【請求項１】
液晶ディスプレイと、前記液晶ディスプレイを照射するバックライトとを具備するディスプレイ装置において、
前記バックライトの両側に第１の液晶ディスプレイと第２の液晶ディスプレイとを有し、
前記バックライトは、導光板と、該導光板の側面に設けられた光源を有することを特徴とするディスプレイ装置。
【請求項２】
液晶ディスプレイと、前記液晶ディスプレイを照射するバックライトとを具備するディスプレイ装置において、
前記バックライトの両側に第１の液晶ディスプレイと第２の液晶ディスプレイとを有し、
前記第１の液晶ディスプレイと前記第２の液晶ディスプレイとは、大きさがそれぞれ異なり、
前記バックライトは、導光板と、該導光板の側面に設けられた光源を有し、
前記バックライトと、前記第１の液晶ディスプレイと第２の液晶ディスプレイはフレームにより固定されていることを特徴とするディスプレイ装置。
【請求項３】
前記第１の液晶ディスプレイ、あるいは、前記第２の液晶ディスプレイの少なくとも１つは、液晶ディスプレイのバックライトから遠い側に視野角を拡大する効果を持つフィルムを有することを特徴とする請求項１または請求項２に記載のディスプレイ装置。
【請求項４】
前記視野角を拡大する効果を持つフィルムは、光の回析効果を有することを特徴とする請求項３に記載のディスプレイ装置。
【請求項５】
前記視野角を拡大する効果を持つフィルムは、液晶ディスプレイを透過する光の位相差の視野角依存性を低減する効果を有することを特徴とする請求項３に記載のディスプレイ装置。
【請求項６】
前記バックライトは、斜辺部分が互いに重ね合わされた２個の襖型形状の導光板と、
前記各導光板の側面に配置された２個の光源とを有することを特徴とする請求項１に記載のディスプレイ装置。
【請求項７】
前記各導光板の間に単一の反射板を有することを特徴とする請求項６に記載のディスプレイ装置。
【発明の詳細な説明】
【０００１】
【発明の属する技術分野】
本発明は、ディスプレイ装置に係わり、特に、２方向から表示画像を見ることが可能なディスプレイ装置に関する。
【０００２】
【従来の技術】
各種の電子機器の高性能化、高機能化に伴って、走査の手順や動作状態を表示するマン・マシン・インタフェースとして、ディスプレイ装置の役割がますます重要になってきている。
【０００３】
このようなディスプレイ装置としては、陰極線管（ＣＲＴ）を用いるＣＲＴディスプレイ装置が、ＴＶ信号あるいはコンピュータからの信号を画像として表示する情報表示装置等に従来から使用されている。
【０００４】
【発明が解決しようとする課題】
アクションゲームやロールプレイングゲーム等のビデオゲームにおいては、同一ゲームを複数人で操作することにより、一層面白さが増加する。
【０００５】
従来、ＣＲＴディスプレイ装置を使用して、複数人がゲーム画面を同時に見る方法としては、図２５または図２６に示すような方式が知られている。
【０００６】
図２５は、画面分割方式を示しており、この方式では、上下分割、ピクチャーインピクチャー等を使用して画面を分割している。
【０００７】
図２５において、１０はＣＲＴディスプレイ装置、Ａ，Ｂはプレーヤー、１１，１２は分割表示された表示画面を示している。
【０００８】
しかしながら、図２５に示す画面分割方式では、ＣＲＴディスプレイ装置１０の画面全体を使用しないため解像度や表示サイズが低下するほか、複数のゲーム参加者が自分の画面を取り違えるおそれがあり、使い勝手に問題点があった。
【０００９】
図２６は、複数装置独立配置方式を示しており、この方式は、ゲームセンター等で使用されている方式である。
【００１０】
図２６において、１０，２０はＣＲＴディスプレイ装置、Ａ，Ｂはプレーヤー、１１，２１はそれぞれのＣＲＴディスプレイ装置（１０，２０）の表示画面を示している。
【００１１】
図２６に示す複数装置独立配置方式では、ＣＲＴディスプレイ装置（１０，２０）を設置するために広い場所を必要とする欠点がある。
【００１２】
ビデオゲーム装置に使用されるＣＲＴディスプレイ装置を例に挙げて説明したように、複数の人数で、複数のＣＲＴディスプレイ装置を使用する場合には、ＣＲＴディスプレイ装置を設置するために広い面積を必要とするという問題点があった。
【００１３】
その上、ＣＲＴディスプレイ装置は、大型、重い、消費電力が多い等の欠点を有しており、そのため、近年、小型、軽量、低消費電力という特徴を生かし、液晶表示パネルを用いる液晶ディスプレイ装置が、多方面で使用されている。
【００１４】
このような液晶ディスプレイ装置を、例えば、同一ゲームを複数人で操作するビデオゲーム装置に使用することにより、前記図２６に示す複数装置独立配置方式でも、液晶ディスプレイ装置を設置するために面積を少なくすることが可能である。
【００１５】
しかしながら、このような液晶ディスプレイ装置を２台使用する場合の省スペース化、消費電力の低減等について、従来何ら検討されていなかった。
【００１６】
また、このような液晶ディスプレイ装置は多方向から見られることになるため、視野角が広いことが要求される。
【００１７】
これは、視野角が狭い場合には、見る方向毎に表示像のコントラストや階調が大幅に異なって見えるためである。
【００１８】
さらに、表示像の視認性の観点から大画面であることが望ましい。
【００１９】
本発明は、前記従来技術の問題点を解決するためになされたものであり、本発明の目的は、２個の液晶ディスプレイを有するディスプレイ装置において、省スペース化、低消費電力化を図ることが可能となる技術を提供することにある。
【００２０】
本発明の他の目的は、２個の液晶ディスプレイを有するディスプレイ装置において、広視野角化および大画面化を図ることが可能となる技術を提供することにある。
【００２１】
本発明の前記目的並びにその他の目的及び新規な特徴は、本明細書の記載及び添付図面によって明らかにする。
【００２２】
【課題を解決するための手段】
本願において開示される発明のうち、代表的なものの概要を簡単に説明すれば、下記の通りである。
【００２３】
（１）液晶ディスプレイと、前記液晶ディスプレイを照射するバックライトとを具備するディスプレイ装置において、前記バックライトの両側に第１の液晶ディスプレイと第２の液晶ディスプレイとを設けたことを特徴する。
【００２４】
（２）液晶ディスプレイと、前記液晶ディスプレイを照射するバックライトとを具備するディスプレイ装置において、前記バックライトの両側に第１の液晶ディスプレイと第２の液晶ディスプレイとを有し、前記第１の液晶ディスプレイと前記第２の液晶ディスプレイの大きさが、それぞれ異なることを特徴とする。
【００２５】
（３）液晶ディスプレイと、前記液晶ディスプレイを照射するバックライトとを具備するディスプレイ装置において、前記バックライトの両側に第１の液晶ディスプレイと第２の液晶ディスプレイとを有し、前記第１の液晶ディスプレイ、あるいは、前記第２の液晶ディスプレイの少なくとも１つが、一対の基板間に注入封止される液晶層に、基板面と略平行な電界を印加する液晶表示パネルを有することを特徴とする。
【００２６】
（４）液晶ディスプレイと、前記液晶ディスプレイを照射するバックライトとを具備するディスプレイ装置において、前記バックライトの両側に第１の液晶ディスプレイと第２の液晶ディスプレイとを有し、前記第１の液晶ディスプレイ、あるいは、前記第２の液晶ディスプレイの少なくとも１つが、プラズマ放電セルを備えた液晶表示パネルを有することを特徴とする。
【００２７】
（５）液晶ディスプレイと、前記液晶ディスプレイを照射するバックライトとを具備するディスプレイ装置において、前記バックライトの両側に第１の液晶ディスプレイと第２の液晶ディスプレイとを有し、前記第１の液晶ディスプレイ、あるいは、前記第２の液晶ディスプレイの少なくとも１つが、液晶ディスプレイのバックライトから遠い側の表面に視野角を拡大する効果を持つフィルムを有することを特徴とする。
【００２８】
（６）液晶ディスプレイと、前記液晶ディスプレイを照射するバックライトとを具備するディスプレイ装置において、前記バックライトの両側に第１の液晶ディスプレイと第２の液晶ディスプレイとを有し、前記第１の液晶ディスプレイ、あるいは、前記第２の液晶ディスプレイの少なくとも１つが、プラズマ放電セルを備え、その液晶ディスプレイのバックライトから遠い側の表面に視野角を拡大する効果を持つフィルムを有することを特徴とする。
【００２９】
（７）前記（５）または（６）の手段において、前記視野角を拡大する効果を持つフィルムが、光の回析効果を有することを特徴とする。
【００３０】
（８）前記（５）または（６）の手段において、前記視野角を拡大する効果を持つフィルムが、液晶ディスプレイを透過する光の位相差の視野角依存性を低減する効果を有することを特徴とする。
【００３１】
（９）前記（１）ないし（６）の手段において、前記バックライトが、導光板と、前記導光板の側面に配置された光源とを有するサイドライト型のバックライトであることを特徴とする。
【００３２】
（１０）前記（９）の手段において、前記バックライトが、斜辺部分が互いに重ね合わされた２個の楔型形状の導光板と、前記各導光板の側面に配置された２個の光源とを有することを特徴とする。
【００３３】
（１１）前記（１０）の手段において、前記各導光板の間に単一の反射板を有することを特徴とする。
【００３４】
（１２）前記（１）ないし（６）の手段において、前記第１の液晶ディスプレイ、および、前記第２の液晶ディスプレイの裏側に、複数の光源が配置される直下型のバックライトであることを特徴とする。
【００３５】
（１３）前記（１２）の手段において、前記バックライトが、複数の凹凸部を備える反射板を有し、前記複数の光源が、前記反射板の両面の凹部領域内に交互に配置されていることを特徴とする。
【００３６】
（１４）前記（１３）の手段において、前記反射板を境にして、前記第１の液晶ディスプレイ側および前記第２の液晶ディスプレイ側に配置される光源の数が、同じであることを特徴とする。
【００３７】
（１５）前記（１３）または（１４）の手段において、照射光の一部が、前記反射板を透過できることを特徴とする。
【００３８】
（１６）前記（１３）ないし（１５）の手段において、前記反射板が、前記各凹凸部の一部に開口部を有することを特徴とする。
【００３９】
前記各手段によれば、ディスプレイ装置において、バックライトの両側に第１の液晶ディスプレイと第２の液晶ディスプレイとを設けるようにしたので、設置スペースを少なくでき、省スペース化を図ることが可能となる。
【００４０】
また、前記（３）および（５）ないし（８）の手段によれば、液晶ディスプレイの視野角を拡大することができるので、コントラスト比の低下が少なく、階調反転が起こりにくいため、多人数で多方面から見ても全員がほぼ同じ表示画像を見ることが可能となる。
【００４１】
また、前記（４）の手段によれば、アクティブ素子を構成する必要がないため、構造が簡略化でき、容易に大画面化を図ることが可能となる。
【００４２】
また、前記（１０）または（１１）の手段によれば、バックライトとして、サイドライト型のバックライトを２個使用する場合に、サイドライトの厚みを少なくできるので、省スペース化を図ることが可能となる。
【００４３】
また、前記（１３）ないし（１６）の手段によれば、バックライトとして、直下型のバックライトを使用する場合に、サイドライトの厚みを少なくできるので、省スペース化を図ることが可能となる。
【００４４】
【発明の実施の形態】
以下、図面を参照して本発明の発明の実施の形態を詳細に説明する。
【００４５】
なお、発明の実施の形態を説明するための全図において、同一機能を有するものは同一符号を付け、その繰り返しの説明は省略する。
【００４６】
［発明の実施の形態１］
図１は、本発明の一発明の実施の形態（発明の実施の形態１）であるディスプレイ装置の概略構成を示す断面図である。
【００４７】
図１に示すように、本発明の実施の形態のディスプレイ装置１００は、単一のバックライト１３０と、前記バックライト１３０の導光板１３１を挟んで対向するように設けられた第１の液晶ディスプレイ１１０と第２の液晶ディスプレイ１２０とから構成される。
【００４８】
ここで、バックライト１３０は、導光板１３１、前記導光板１３１の側面に設けられた冷陰極管１３２、および、前記冷陰極管１３１からの照射光を反射する反射シート１３３から構成され、また、前記第１の液晶ディスプレイ１１０、第２の液晶ディスプレイ１２０、および、バックライト１３０は、フレーム１４０により固定されるようになっている。
【００４９】
従来の単純マトリクス型液晶表示装置、あるいは、アクティブマトリクス型液晶表示装置に使用されるバックライトにおいては、導光板の一方の面に反射板が設けられるが、本発明の実施の形態１におけるバックライト１３０では、反射板が省略されている。
【００５０】
なお、従来の単純マトリクス型液晶表示装置、あるいは、アクティブマトリクス型液晶表示装置に使用されるバックライトには、導光板、冷陰極管、反射シートの他に、拡散板およびプリズムシートが備えられるが、図１に示すバックライト１３０では省略している。
【００５１】
また、図１では、冷陰極管１３２は１本のみしか図示していないが、導光板１３１の対向する両面に２本の冷陰極管１３２を設けるようにしてもよい。
【００５２】
このように、本発明の実施の形態１のディスプレイ装置１００によれば、単一のバックライト１３０の両側に、第１の液晶ディスプレイ１１０および第２の液晶ディスプレイ１２０を設けるようにしたので、２個の液晶ディスプレイを個々に設置する場合に比して設置スペースが少なくても済み、コストが安価になるとともに、省スペース化、低消費電力化を図ることが可能となる。
【００５３】
この場合に、第１の液晶ディスプレイ１１０および第２の液晶ディスプレイ１２０には、同一画像、あるいは、それぞれ異なる画像を表示することが可能である。
【００５４】
また、前記第１の液晶ディスプレイ１１０および第２の液晶ディスプレイ１２０は、従来の単純マトリクス型液晶表示装置、あるいは、アクティブマトリクス型液晶表示装置の液晶表示パネルと、前記液晶表示パネルの周辺部に設けられ、前記液晶表示パネルを駆動するための駆動回路（例えば、コモンドライバ、セグメントドライバ、ゲートドライバ、ドレインドライバ、制御回路、電源回路等）から構成される。
【００５５】
以下、前記第１の液晶ディスプレイ１１０あるいは第２の液晶ディスプレイ１２０に使用される、アクティブマトリクス型液晶表示装置の液晶表示パネルとして、横電界方式のアクティブマトリクス型液晶表示装置の液晶表示パネルの一例について説明する。
【００５６】
図２は、横電界方式のアクティブマトリクス型液晶表示装置における液晶表示パネルの一画素とその周辺を示す平面図である。
【００５７】
同図において、実線は下部基板である下部透明ガラス基板（ＳＵＢ１）側に形成される構成を示し、破線は上部基板である上部透明基板ガラス（ＳＵＢ２）側に形成される構成を示している。
【００５８】
図２に示すように、各画素は隣接する２本の走査信号線（ゲート信号線または水平信号線）（ＧＬ）と、隣接する２本の映像信号線（ドレイン信号線または垂直信号線）（ＤＬ）との交差領域内（４本の信号線で囲まれた領域内）に配置されている。
【００５９】
各画素は、薄膜トランジスタ（ＴＦＴ）、蓄積容量（Ｃｓｔｇ）、画素電極（ＰＸ）、対向電極（ＣＴ）および対向電圧信号線（コモン信号線）（ＣＬ）とを含んでいる。
【００６０】
ここで、走査信号線（ＧＬ）、対向電圧信号線（ＣＬ）は、図１においては左右方向に延在し、上下方向に複数本配置され、映像信号線（ＤＬ）は、上下方向に延在し、左右方向に複数本配置されている。
【００６１】
また、画素電極（ＰＸ）は、薄膜トランジスタ（ＴＦＴ）のソース電極（ＳＤ１）と接続され、さらに、対向電極（ＣＴ）は、対向電圧信号線（ＣＬ）と一体に構成されている。
【００６２】
画素電極（ＰＸ）と対向電極（ＣＴ）とは互いに対向し、各画素電極（ＰＸ）と対向電極（ＣＴ）との間の電界により液晶層（ＬＣ）の光学的な状態を制御し、表示を制御する。
【００６３】
画素電極（ＰＸ）と対向電極（ＣＴ）とは櫛歯状に構成され、それぞれ、図２においては上下方向に長細い電極となっている。
【００６４】
図２に示す液晶表示パネルでは、画素電極（ＰＸ）は下開きのコの字型、対向電極（ＣＴ）は対向電圧信号線（ＣＬ）から下方向に突起した櫛歯形の形状をしており、画素電極（ＰＸ）と対向電極（ＣＴ）の間の領域は１画素内で４分割されている。
【００６５】
図３は、図２に示す３−３切断線における断面を示す断面図、図４は、図２に示す４−４切断線における薄膜トランジスタ（ＴＦＴ）の断面を示す断面図、図５は、図２に示す５−５切断線における蓄積容量（Ｃｓｔｇ）の断面を示す断面図である。
【００６６】
図３〜図５に示すように、液晶層（ＬＣ）を基準にして下部透明ガラス基板（ＳＵＢ１）側には、薄膜トランジスタ（ＴＦＴ）、蓄積容量（Ｃｓｔｇ）および電極群が設けられ、上部透明ガラス基板（ＳＵＢ２）側には、カラーフィルタ（ＦＩＬ）、遮光膜（ブラックマトリクスパターン；ＢＭ）が設けられる。
【００６７】
また、透明ガラス基板（ＳＵＢ１、ＳＵＢ２）のそれぞれの内側（液晶層（ＬＣ）側）の表面には、液晶の初期配向を制御する配向膜（ＯＲＩ１、ＯＲＩ２）が設けられており、透明ガラス基板（ＳＵＢ１、ＳＵＢ２）のそれぞれの外側の表面には、それぞれ偏光板（ＰＯＬ１、ＰＯＬ２）が設けられている。
【００６８】
薄膜トランジスタ（ＴＦＴ）は、図４に示すように、ゲート電極（ＧＴ）、ゲート絶縁膜（ＧＩ）、ｉ型（真性、ｉｎｔｒｉｎｓｉｃ、導電型決定不純物がドープされていない）非晶質シリコン（Ｓｉ）からなるｉ型半導体層（ＡＳ）、一対のソース電極（ＳＤ１）、ドレイン電極（ＳＤ２）を有する。
【００６９】
なお、薄膜トランジスタ（ＴＦＴ）としては、非晶質（アモルファス）シリコン薄膜トランジスタ素子以外に、ポリシリコン薄膜トランジスタ素子、シリコンウエハ上のＭＯＳ型トランジスタ、有機ＴＦＴ、または、ＭＩＭ（Ｍｅｔａｌ−Ｉｎｓｕｌａｔｏｒ−Ｍｅｔａｌ）ダイオード等の２端子素子を用いることも可能である。
【００７０】
ゲート電極（ＧＴ）は、走査信号線（ＧＬ）と連続して構成されており、走査信号線（ＧＬ）の一部の領域がゲート電極（ＧＴ）となるように構成されている。
【００７１】
ここで、走査信号線（ＧＬ）、ゲート電極（ＧＴ）、対向電極（ＣＴ）および対向電圧信号線（ＣＬ）は、例えば、アルミニウム（Ａｌ）系の導電膜（ｇ１）で構成され、走査信号線（ＧＬ）、ゲート電極（ＧＴ）、対向電極（ＣＴ）および対向電圧信号線（ＣＬ）は、同一製造工程で同層に形成される。
【００７２】
走査信号線（ＧＬ）、ゲート電極（ＧＴ）、対向電極（ＣＴ）および対向電圧信号線（ＣＬ）の上には、例えば、プラズマＣＶＤで形成された窒化シリコン膜からなる絶縁膜（ＧＩ）が設けられる。
【００７３】
絶縁膜（ＧＩ）は、薄膜トランジスタ（ＴＦＴ）において、ゲート電極（ＧＴ）と共に半導体層（ＡＳ）に電界を与えるためのゲート絶縁膜として、あるいは、走査信号線（ＧＬ）および対向電圧信号線（ＣＬ）と、映像信号線（ＤＬ）との電気的絶縁のために使用される。
【００７４】
ソース電極（ＳＤ１）およびドレイン電極（ＳＤ２）との接続領域のｉ型半導体層（ＡＳ）上には、オーミックコンタクト用のリン（Ｐ）をドープしたＮ（＋）型非晶質シリコン半導体層が設けられる。
【００７５】
ソース電極（ＳＤ１）およびドレイン電極（ＳＤ２）のそれぞれは、Ｎ（＋）型非晶質シリコン半導体層に接触する導電膜（ｄ１）とその上に形成された導電膜電膜（ｄ２）とから構成されている。
【００７６】
導電膜（ｄ１）は、例えば、スパッタリングで形成したクロム（Ｃｒ）膜を用い、また、導電膜（ｄ２）としては、アルミニウム（Ａｌ）系の導電膜を用いる。
【００７７】
映像信号線（ＤＬ）および画素電極（ＰＸ）は、ソース電極（ＳＤ１）およびドレイン電極（ＳＤ２）と同層に形成され、ソース電極（ＳＤ１）およびドレイン電極（ＳＤ２）と同じく、導電膜（ｄ１）と、その上に形成された導電膜（ｄ２）とで構成されている。
【００７８】
画素電極（ＰＸ）は、薄膜トランジスタ（ＴＦＴ）と接続される端部と反対側の端部において、対向電圧信号線（ＣＬ）と重なるように構成されている。
【００７９】
この重ね合わせは、図５からも明らかなように、画素電極（ＰＸ）を一方の電極（ＰＬ２）とし、対向電圧信号（ＣＬ）を他方の電極（ＰＬ１）とする蓄積容量（静電容量素子）（Ｃｓｔｇ）を構成する。
【００８０】
この蓄積容量（Ｃｓｔｇ）の誘電体膜は、薄膜トランジスタ（ＴＦＴ）のゲート絶縁膜として使用される絶縁膜（ＧＩ）および陽極酸化膜で構成されている。
【００８１】
この蓄積容量（Ｃｓｔｇ）は、画素に書き込まれた（薄膜トランジスタ（ＴＦＴ）がオフした後の）映像情報を、長く蓄積するために設けられる。
【００８２】
薄膜トランジスタ（ＴＦＴ）上には、例えば、プラズマＣＶＤ装置で形成した酸化シリコン膜や窒化シリコン膜からなる保護膜（ＰＳＶ）が設けられている。
【００８３】
この保護膜（ＰＳＶ）は、主に薄膜トランジスタ（ＴＦＴ）を湿気等から保護するために設けられており、透明性が高く、しかも、耐湿性の良いものを使用する。
【００８４】
上部透明ガラス基板（ＳＵＢ２）側には、不要な間隙部（画素電極（ＰＸ）と対向電極（ＣＴ）の間以外の隙間）からの透過光が表示面側に出射して、コントラスト比等を低下させないように遮光膜（ＢＭ）（いわゆるブラックマトリクスパターン）が形成される。
【００８５】
この遮光膜（ＢＭ）は、外部光またはバックライト光がｉ型半導体層（ＡＳ）に入射しないようにする役割も果たしており、図２に示す遮光膜（ＢＭ）の閉じた多角形の輪郭線は、その内側が遮光膜（ＢＭ）が形成されない開口を示している。
【００８６】
遮光膜（ＢＭ）は、各画素の周囲に格子状に形成され、この格子で１画素の有効表示領域が仕切られており、したがって、各画素の輪郭が遮光膜（ＢＭ）によってはっきりとする。
【００８７】
即ち、遮光膜（ＢＭ）は、ブラックマトリクスとｉ型半導体層（ＡＳ）に対する遮光との２つの機能を持っている。
【００８８】
この遮光膜（ＢＭ）は、光に対する遮蔽性を有し、かつ、画素電極（ＰＸ）と対向電極（ＣＴ）の間の電界に影響を与えないように絶縁性の高い膜で形成されており、図２に示す液晶表示パネルでは、遮光膜（ＢＭ）は、黒色顔料を分散した絶縁性の有機樹脂（レジスト材）で構成される。
【００８９】
遮光膜（ＢＭ）の開口部にはカラーフィルタ（ＦＩＬ）が設けられ、このカラーフィルタ（ＦＩＬ）は、画素に対向する位置に赤、緑、青の繰り返しでストライプ状に構成され、また、カラーフィルタ（ＦＩＬ）は、遮光膜（ＢＭ）のエッジ部分と重なるように構成されている。
【００９０】
カラーフィルタ（ＦＩＬ）は、次のようにして形成することができる。
【００９１】
まず、上部透明ガラス基板（ＳＵＢ２）の表面にアクリル系樹脂等の染色基材を形成し、フォトリソグラフィ技術で赤色フィルタ形成領域以外の染色基材を除去する。
【００９２】
この後、染色基材を赤色染料で染め、固着処理を施し、赤色フィルタ（Ｒ）を形成する。
【００９３】
つぎに、同様な工程を施すことによって、緑色フィルタ（Ｇ）、青色フィルタ（Ｂ）を順次形成する。
【００９４】
遮光膜（ＢＭ）およびカラーフィルタ（ＦＩＬ）上には、例えば、アクリル樹脂、エポキシ樹脂等の透明樹脂材料で構成されるオーバーコート膜（ＯＣ）が設けられ、このオーバーコート膜（ＯＣ）は、カラーフィルタ（ＦＩＬ）から染料が液晶層（ＬＣ）へ漏洩するのを防止し、および、カラーフィルタ（ＦＩＬ）、遮光膜（ＢＭ）による段差を平坦化するために設けられている。
【００９５】
上下透明ガラス基板（ＳＵＢ１、ＳＵＢ２）の間にはその縁に沿って、液晶封入口（図示せず）を除き、液晶層（ＬＣ）を封止するようにシールパターン（図示せず）が設けられる。
【００９６】
下部透明ガラス基板（ＳＵＢ１）側の保護膜（ＰＳＶ）上、および、上部透明ガラス基板（ＳＵＢ２）側のオーバーコート膜（ＯＣ）上には、ポリイミドからなる配向膜（ＯＲＩ１，ＯＲＩ２）が設けられ、この配向膜（ＯＲＩ１、ＯＲＩ２）は、シールパターンの内側に形成される。
【００９７】
液晶層（ＬＣ）は、液晶分子の向きを設定する下部配向膜（ＯＲＩ１）と上部配向膜（ＯＲＩ２）との間でシールパターンで仕切られた領域に封入される。
【００９８】
図２に示す液晶表示パネルでは、下部透明ガラス基板（ＳＵＢ１）、上部透明ガラス基板（ＳＵＢ２）を別個に種々の層を積み重ねて形成した後、シールパターンを上部透明ガラス基板（ＳＵＢ２）側に形成し、下部透明ガラス基板（ＳＵＢ１）と上部透明ガラス基板（ＳＵＢ２）とを重ね合わせ、シールパターンの開口部から液晶（ＬＣ）を注入し、注入口をエポキシ樹脂などで封止し、上下基板を切断することによって組み立てられる。
【００９９】
図６は、図２に示す液晶表示パネルにおける表示マトリクス部（ＡＲ）の等価回路とその周辺回路の結線図を示す図である。
【０１００】
なお、図６は、回路図ではあるが、実際の幾何学的配置に対応して描かれている。
【０１０１】
図６において、ＡＲは、複数の画素が２次元状に配置された表示マトリクス部（マトリクス・アレイ）を示し、Ｐｉｘは液晶層（ＬＣ）の液晶容量を示している。
【０１０２】
また、ＰＸは画素電極を示し、添字Ｒ，ＧおよびＢが、それぞれ赤、緑および青の画素に対応して付加されている。
【０１０３】
マトリクス状に設けられた薄膜トランジスタ（ＴＦＴ）の中の列方向毎の複数の薄膜トランジスタ（ＴＦＴ）のドレイン電極は、同じ映像信号線（ドレイン信号線）（ＤＬ）に接続され、前記複数の映像信号線（ＤＬ）は、液晶表示パネルの上部で、映像信号駆動回路（ドレインドライバ）（Ｈ）に接続される。
【０１０４】
また、マトリクス状に設けられた薄膜トランジスタ（ＴＦＴ）の中の行方向毎の複数の薄膜トランジスタ（ＴＦＴ）のゲート電極は、同じ走査信号線（ゲート信号線）（ＧＬ）に接続され、前記複数の走査信号線（ＧＬ）は、液晶表示パネルの一方の側面部で、垂直走査回路（ゲートドライバ）（Ｖ）に接続される。
【０１０５】
さらに、液晶層（ＬＣ）に基板と平行な方向に電界を印加する共通電極（対向電極）が、前記マトリクス状に配列された複数の画素電極（ＰＸ）毎に設けられ、前記マトリクス状に配列された画素の中の行方向毎の複数の画素電極（ＰＸ）と対向する複数の対向電極は、同じ対向電圧信号線（共通電極信号線）（ＣＬ）に接続される。
【０１０６】
この対向電圧信号線（共通電極信号線）（ＣＬ）は、液晶表示パネルの他方の側面部で共通バスラインで一纏めされ、対向電極端子（ＣＴＭ）に引き出され、この対向電極端子（ＣＴＭ）には、回路（ＳＵＰ）からの対向電圧（Ｖｃｏｍ）が印加される。
【０１０７】
垂直走査回路（Ｖ）および映像信号駆動回路（Ｈ）は、回路（ＳＵＰ）の液晶駆動電源回路から走査信号（走査電圧）および映像信号（階調電圧）が供給され、また、前記対向電圧信号線（ＣＬ）に印加される対向電圧（Ｖｃｏｍ）も回路（ＳＵＰ）の液晶駆動電源回路から供給される。
【０１０８】
また、回路（ＳＵＰ）は、ホストから画像情報（表示用データ、制御信号）を液晶表示パネル用の画像情報（表示用データ、制御信号）に変換し、当該液晶表示パネル用の表示用データを映像信号駆動回路（Ｈ）に、当該液晶表示パネル用の制御信号を、垂直走査回路（Ｖ）および映像信号駆動回路（Ｈ）に出力する。
【０１０９】
図６に示す液晶表示パネルにおいては、情報処理装置から回路（ＳＵＰ）に入力される制御信号に基づき、垂直駆動回路（Ｖ）から前記複数の走査信号線（ＧＬ）に順次走査信号（走査電圧）を印加して、走査信号線（ＧＬ）に接続された複数の薄膜トランジスタ（ＴＦＴ）を「ＯＮ」、「ＯＦＦ」し、そのタイミングに合わせて映像信号駆動回路（Ｈ）から映像信号線（ＤＬ）に映像信号（階調電圧）を印加して、前記画素電極（ＰＸ）に階調電圧を印加する。
【０１１０】
ここで、走査信号線（ＧＬ）のｙ０、ｙ１、…ｙｅｎｄは走査タイミングの順序を示している。
【０１１１】
図２に示す液晶表示パネルでは、上部透明ガラス基板（ＳＵＢ２）側の上部配向膜（ＯＲＩ２）と、下部透明ガラス基板（ＳＵＢ１）側の下部配向膜（ＯＲＩ１）との両方に、ラビング処理を施すことにより、液晶分子の初期配向方向（φＬＣ）を制御する。
【０１１２】
図７は、図２に示す液晶表示パネルにおける印加電界方向（ＥＤＲ）、ラビング方向（ＲＤＲ）、偏光透過軸（ＭＡＸ１、ＭＡＸ２）の関係を示す図である。
【０１１３】
ラビング方向（ＲＤＲ）と印加電界方向（ＥＤＲ）とのなす角度は、液晶材料の誘電率異方性Δεが正であれば、４５℃以上９０℃未満または、９０°を超え１３５°以下、誘電率異方性Δεが負であれば、液晶分子が電界方向に直交する方向に回転するので、０°を超え４５°以下または１４５℃以上１８０℃未満でなければならない。
【０１１４】
図７に示すように、偏光板（ＰＯＬ）としては、下側の偏光板（ＰＯＬ１）の偏光透過軸（ＭＡＸ１）と印加電界方向（ＥＤＲ）となす角度（φＰ）は、角度（φＬＣ）と等しく、上側の偏向板（ＰＯＬ２）の偏光透過軸（ＭＡＸ２）は、それに直交するように設定する。
【０１１５】
そして、図２に示すように、下部透明ガラス基板（ＳＵＢ１）に形成された対向電極（ＣＴ）と画素電極（ＰＸ）との間に電圧を印加することによって、液晶層（ＬＣ）に、上下透明ガラス基板（ＳＵＢ１，ＳＵＢ２）と平行な電界（Ｅ）を発生させ、これにより、液晶層（ＬＣ）を透過する光を変調させて、液晶表示パネルに画像を表示する。
【０１１６】
横電界方式のアクティブマトリクス型液晶表示装置を用いることにより、省スペース化および消費電力低減の効果に加え、広視野角を実現することができる。
【０１１７】
また、前記第１の液晶ディスプレイ１１０あるいは第２の液晶ディスプレイ１２０には、プラズマ放電セルを液晶画素のスイッチングに使用するプラズマ・アドレス液晶パネルを使用することも可能である。
【０１１８】
以下、前記第１の液晶ディスプレイ１１０あるいは第２の液晶ディスプレイ１２０に使用されるプラズマ・アドレス液晶パネルの一例について説明する。
【０１１９】
図８は、プラズマ・アドレス液晶パネルの一例の概略構成を示す分解斜視図であり、また、図９は、図８に示すプラズマ・アドレス液晶パネルの要部断面構造を示す断面図である。
【０１２０】
図８、図９に示すように、プラズマ・アドレス液晶パネル２００は、カラーフィルタ基板２２０、絶縁膜２４０、プラズマ基板２５０、前記カラーフィルタ基板２２０と前記絶縁膜２４０との間に注入封止される液晶層２３０、前記カラーフィルタ基板２２０および前記プラズマ基板２５０の外側に設けられる偏光板（２１０，２６０）とから構成される。
【０１２１】
前記カラーフィルタ基板２２０は、透明基板２２１上に列方向に設けられる複数の透明電極２２２と、前記透明電極２２２上に、各透明電極２２２に対応して設けられるカラーフィルタ２２３とで構成される。
【０１２２】
また、プラズマ基板２５０は、透明基板２５１上に設けられた複数の隔壁２５５により透明基板２５１上に行方向に設けられるプラズマ放電セル２５４と、プラズマ放電セル２５４内に設けられるカソード電極２５２とアノード電極２５３とから構成される。
【０１２３】
ここで、複数の透明電極２２２と放電セル２５４との交点が一画素を構成する。
【０１２４】
前記プラズマ放電セル２５４内にプラズマ２７０を発生させると、アノード２５３とプラズマ放電セル２５４の上部の絶縁膜２４０とが導通したような状態となり、絶縁膜２４０には負の電位を有する仮想電極２４１が生成される。
【０１２５】
このとき、透明電極２２２に電圧を印加することにより、液晶層２３０に電界を発生させることができる。
【０１２６】
したがって、前記複数の放電セル２５４の中の１つの放電セル２５４内にプラズマを発生させると、プラズマ・アドレス液晶パネル２００の１走査ライン分がオンとなり、この状態で、表示データに対応した電圧を透明電極２２２に印加することにより、液晶層２３０を透過する光を変調させて、プラズマ・アドレス液晶パネル２００に１走査ライン分の画像を表示することができる。
【０１２７】
プラズマ・アドレス液晶表示パネルは、アクティブマトリクス素子を有さないため、構造を簡略化できるので、省スペース化および消費電力低減の効果に加え、大画面化を容易異に実現することが可能である。
【０１２８】
また、広視野角化は、前記第１の液晶ディスプレイ１１０あるいは前記第２の液晶ディスプレイ１２０のバックライト１３０から遠い側の表面に、視野角を拡大する効果を有するフィルムを設けることによっても実現できる。
【０１２９】
この場合、フィルムを設けた液晶ディスプレイの視野角を拡大でき、この効果は、プラズマ・アドレス液晶パネルにおいても得ることができる。
【０１３０】
また、視野角を拡大するフィルムとしては、光の回析効果を有するフィルムおよび液晶ディスプレイを透過する光の位相差の視野角依存性を低下させる効果を有するフィルムが適する。
【０１３１】
［発明の実施の形態２］
図１０は、本発明の他の発明の実施の形態（発明の実施の形態２）であるディスプレイ装置１００の概略構成を示す断面図である。
【０１３２】
図１０に示すように、本発明の実施の形態２のディスプレイ装置１００は、第１の液晶ディスプレイ１１０と第２の液晶ディスプレイ１２０との表示サイズが異なっている点で、前記発明の実施の形態１のディスプレイ装置１００と相違する。
【０１３３】
本発明の実施の形態２のディスプレイ装置１００においても、２個の液晶ディスプレイを個々に設置する場合に比して設置スペースが少なくて済み、コストが安価になるとともに、省スペース化、低消費電力化を図ることが可能となる。
【０１３４】
［発明の実施の形態３］
図１１は、本発明の他の発明の実施の形態（発明の実施の形態３）であるディスプレイ装置１００の概略構成を示す断面図である。
【０１３５】
本発明の実施の形態３のディスプレイ装置１００は、バックライト１３０を、第１のバックライト１３０ａと第２のバックライト１３０ｂとから構成し、前記第１のバックライト１３０ａで第１の液晶ディスプレイ１１０を照射し、また、前記第２バックライト１３０ｂで第２の液晶ディスプレイ１２０を照射するようにした点で、前記発明の実施の形態１のディスプレイ装置１００と相違する。
【０１３６】
図１２は、図１１に示すバックライト１３０ａおよびバックライト１３０ｂのより詳細な構成を示す断面図である。
【０１３７】
図１２に示すように、第１のバックライト１３０ａおよび第２のバックライト１３０ｂは、それぞれ、導光板（１３１ａ，１３１ｂ）、前記導光板（１３１ａ，１３１ｂ）の液晶ディスプレイ（１１０，１２０）と反対側の面に設けられた反射板（１３４ａ，１３４ｂ）、前記導光板（１３１ａ，１３１ｂ）の側面に設けられた冷陰極管（１３２ａ，１３２ｂ）、および、前記冷陰極管（１３２ａ，１３２ｂ）からの照射光を反射する反射シート（１３３ａ，１３３ｂ）から構成される。
【０１３８】
ここで、前記導光板（１３１ａ，１３１ｂ）は楔型形状の導光板であり、本発明の実施の形態では、前記導光板（１３１ａ，１３１ｂ）の楔型形状の斜辺部分を重ね合わせて、バックライト１３０の厚さを低減し、省スペース化を図っている。
【０１３９】
なお、従来の単純マトリクス型液晶表示装置、あるいは、アクティブマトリクス型液晶表示装置に使用されるバックライトには、導光板、冷陰極管、反射シートの他に、拡散板およびプリズムシートが備えられるが、図１１および図１２に示すバックライト１３０では省略している。
【０１４０】
前記発明の実施の形態１（あるいは発明の実施の形態２）のディスプレイ装置１００では、導光板１３１の冷陰極管１３２と垂直な方向の断面形状が長方形であるため、冷陰極管１３２からの照射光の利用効率が低く、かつ、第１の液晶ディスプレイ１１０および第２の液晶ディスプレイ１２０に輝度むらが発生するという欠点がある。
【０１４１】
しかしながら、本発明の実施の形態３のディスプレイ装置１００では、各冷陰極管（１３２ａ，１３２ｂ）からの照射光は、反射板（１３４ａ，１３４ｂ）で反射されて、第１の液晶ディスプレイ１１０と第２の液晶ディスプレイ１２０とに入射されるので、照射光の利用効率を向上させることがき、さらに、第１の液晶ディスプレイ１１０および第２の液晶ディスプレイ１２０の輝度むらを低減させることが可能である。
【０１４２】
［発明の実施の形態４］
図１３は、本発明の他の発明の実施の形態（発明の実施の形態４）であるディスプレイ装置のバックライトの概略構成を示す断面図である。
【０１４３】
本発明の実施の形態４のディスプレイ装置１００は、各導光板（１３１ａ，１３１ｂ）の間に設けられる反射板が、単一の反射板１３４で構成される点で、前記発明の実施の形態３のディスプレイ装置１００と相違する。
【０１４４】
本発明の実施の形態４のディスプレイ装置１００においても、省スペース化を図りながら、照射光の利用効率を向上させることが可能となり、さらに、第１の液晶ディスプレイ１１０および第２の液晶ディスプレイ１２０の輝度むらを低減させることが可能である。
【０１４５】
［発明の実施の形態５］
図１４は、本発明の他の発明の実施の形態（発明の実施の形態５）であるディスプレイ装置のバックライトの概略構成を示す断面図である。
【０１４６】
本発明の実施の形態５のディスプレイ装置１００は、バックライト１３０として、図１に示す第１の液晶ディスプレイ１１０および第２の液晶ディスプレイ１２０の裏側に、複数の光源が配置される直下型のバックライトを使用する点で、前記発明の実施の形態１のディスプレイ装置１００と相違する。
【０１４７】
なお、図１４において、バックライト１３０の両側に拡散板を配置してもよい。
【０１４８】
本発明の実施の形態５のディスプレイ装置１００においても、２個の液晶ディスプレイを個々に設置する場合に比して設置スペースが少なくて済み、コストが安価になるとともに、省スペース化、低消費電力化を図ることが可能となる。
【０１４９】
［発明の実施の形態６］
図１５は、本発明の他の発明の実施の形態（発明の実施の形態６）であるディスプレイ装置のバックライトの概略構成を示す断面図である。
【０１５０】
本発明の実施の形態６のディスプレイ装置１００は、直下型のバックライト１３０内に、複数の凹凸部１３５を有するジグザクパターン形状の反射板１３４を設け、反射板１３４の両面の凹部領域に交互に複数の冷陰極管１３２を配置するようにした点で、前記発明の実施の形態５のディスプレイ装置１００と相違する。
【０１５１】
本発明の実施の形態６のディスプレイ装置１００では、直線形状の反射板を設ける場合よりも、バックライト１３０の厚みを低減させることが可能となり、省スペース化を図ることが可能である。
【０１５２】
また、各冷陰極管１３２からの照射光は、反射板１３４で反射されて、第１の液晶ディスプレイ１１０と第２の液晶ディスプレイ１２０とに入射されるので、照射光の利用効率を向上させることが可能となり、さらに、第１の液晶ディスプレイ１１０および第２の液晶ディスプレイ１２０の輝度むらを低減させることが可能である。
【０１５３】
なお、前記反射板１３４の凹凸部１３５の形状としては、図１６に示すように、曲線形状としてもよい。
【０１５４】
また、反射板１３４として、白色の合成樹脂板を使用することにより、反射板１３４に入射される照射光の一部は、反射板１３４を透過して反射板１３４の裏側に漏れ出すので、第１の液晶ディスプレイ１１０および第２の液晶ディスプレイ１２０の輝度むらを、より一層低減させることが可能となる。
【０１５５】
本発明の実施の形態５のディスプレイ装置１００においても、２個の液晶ディスプレイを個々に設置する場合に比して設置スペースが少なくて済み、コストが安価になるとともに、省スペース化、低消費電力化を図ることが可能となる。
【０１５６】
［発明の実施の形態７］
図１７は、本発明の他の発明の実施の形態（発明の実施の形態７）であるディスプレイ装置のバックライトの概略構成を示す断面図である。
【０１５７】
本発明の実施の形態７のディスプレイ装置１００は、直下型のバックライト１３０内の冷陰極管１３２を、反射板１３４を境として、第１の液晶ディスプレイ１１０側あるいは第２の液晶ディスプレイ１２０の側に同数配置するようにした点で、前記発明の実施の形態６のディスプレイ装置１００と相違する。
【０１５８】
本発明の実施の形態７のディスプレイ装置１００によれば、第１の液晶ディスプレイ１１０と第２の液晶ディスプレイ１２０とに入射される照射光の分布が均一化されるので、第１の液晶ディスプレイ１１０および第２の液晶ディスプレイ１２０の輝度を均一化させることが可能となり、また、第１の液晶ディスプレイ１１０および第２の液晶ディスプレイ１２０の輝度むらを低減させることが可能となる。
【０１５９】
本発明の実施の形態７のディスプレイ装置１００においても、２個の液晶ディスプレイを個々に設置する場合に比して設置スペースが少なくて済み、コストが安価になるとともに、省スペース化、低消費電力化を図ることが可能となる。
【０１６０】
［発明の実施の形態８］
図１８は、本発明の他の発明の実施の形態（発明の実施の形態８）であるディスプレイ装置のバックライトの概略構成を示す断面図である。
【０１６１】
本発明の実施の形態８のディスプレイ装置１００は、直下型のバックライト１３０の両端の冷陰極管１３２が、バックライト１３０の上下部分に近接させて配置されている点で、前記発明の実施の形態７のディスプレイ装置１００と相違する。
【０１６２】
前記発明の実施の形態７のディスプレイ装置１００においては、バックライト１３０内の両端の冷陰極管１３２がバックライト１３０の上下部分から離れているので、第１の液晶ディスプレイ１１０と第２の液晶ディスプレイ１２０との上下部分の照射光が不足し、第１の液晶ディスプレイ１１０および第２の液晶ディスプレイ１２０の上下部分に輝度むらが生じるという欠点がある。
【０１６３】
しかしながら、本発明の実施の形態８のディスプレイ装置１００では、バックライト１３０の両端の冷陰極管１３２が、バックライト１３０の上下部分に近接させて配置されているので、第１の液晶ディスプレイ１１０と第２の液晶ディスプレイ１２０とに入射される照射光の分布が、第１の液晶ディスプレイ１１０と第２の液晶ディスプレイ１２０との全面に渡って略均一され、第１の液晶ディスプレイ１１０および第２の液晶ディスプレイ１２０の上下部分の輝度むらを低減させることが可能となる。
【０１６４】
本発明の実施の形態８のディスプレイ装置１００においても、２個の液晶ディスプレイを個々に設置する場合に比して設置スペースが少なくて済み、コストが安価になるとともに、省スペース化、低消費電力化を図ることが可能となる。
【０１６５】
［発明の実施の形態９］
図１９は、本発明の他の発明の実施の形態（発明の実施の形態９）であるディスプレイ装置のバックライトの概略構成を示す断面図である。
【０１６６】
図２０は、図１９に示す反射板１３４の概略構成を示す平面図である。
【０１６７】
本発明の実施の形態９のディスプレイ装置１００は、図２０に示すように、直下型のバックライト１３２内の反射板１３４が凹凸部１３５の一部に開口部１３６を有する点で、前記発明の実施の形態５のディスプレイ装置１００と相違する。
【０１６８】
本発明の実施の形態９のディスプレイ装置１００によれば、各冷陰極管１３２からの照射光の一部が、反射板１３４の開口部１３６を通って反対側の液晶ディスプレイ（第１の液晶ディスプレイ１１０あるいは第２の液晶ディスプレイ１２０）に入射されるので、第１の液晶ディスプレイ１１０と第２の液晶ディスプレイ１２０とに入射される照射光の分布がより均一化され、第１の液晶ディスプレイ１１０および第２の液晶ディスプレイ１２０の輝度を均一化させることが可能となり、また、第１の液晶ディスプレイ１１０および第２の液晶ディスプレイ１２０の輝度むらを、より一層低減させることが可能となる。
【０１６９】
本発明の実施の形態９のディスプレイ装置１００においても、２個の液晶ディスプレイを個々に設置する場合に比して設置スペースが少なくて済み、コストが安価になるとともに、省スペース化、低消費電力化を図ることが可能となる。
【０１７０】
［発明の実施の形態１０］
図２１は、本発明の他の発明の実施の形態（発明の実施の形態１０）であるディスプレイ装置のバックライトの概略構成を示す断面図である。
【０１７１】
本発明の実施の形態１０のディスプレイ装置１００は、直下型のバックライト１３０内の反射板１３４が、凹凸部１３５の一部分に開口部１３６を有する点で、前記発明の実施の形態７のディスプレイ装置１００と相違する。
【０１７２】
本発明の実施の形態１０のディスプレイ装置１００においても、第１の液晶ディスプレイ１１０および第２の液晶ディスプレイ１２０の輝度を均一化させることが可能となり、また、第１の液晶ディスプレイ１１０および第２の液晶ディスプレイ１２０の輝度むらを、より一層低減させることが可能となる。
【０１７３】
本発明の実施の形態１０のディスプレイ装置１００においても、２個の液晶ディスプレイを個々に設置する場合に比して設置スペースが少なくて済み、コストが安価になるとともに、省スペース化、低消費電力化を図ることが可能となる。
【０１７４】
［発明の実施の形態１１］
図２２は、本発明の他の発明の実施の形態（発明の実施の形態１１）であるモニタ装置の概略構成を示す斜視図である。
【０１７５】
本発明の実施の形態１１は、前記各発明の実施の形態のディスプレイ装置１００を、モニタ装置に応用した場合の発明の実施の形態である。
【０１７６】
本発明の実施の形態１１のモニタ装置３００を使用することにより、従来のＣＲＴディスプレイ装置に比して設置場所が少なくて済むので、省スペース化を図ることが可能となる。
【０１７７】
また、モニタ装置３００の両側から表示画像をモニタすることが可能となるので、例えば、多くの人間が集まる公共の施設等の案内表示板に使用することにより、軽量の案内表示板を構成することが可能となる。
【０１７８】
この場合に、第１の液晶ディスプレイ１１０および第２の液晶ディスプレイ１２０に、広視野角の特徴を有する横電界方式のアクティブマトリクス型液晶表示装置の液晶表示パネルを使用することにより、多くの人間が、広い角度からモニタすることが可能である。
【０１７９】
［発明の実施の形態１２］
図２３は、本発明の他の発明の実施の形態（発明の実施の形態１２）であるビデオゲーム装置の概略構成を示すブロック図である。
【０１８０】
本発明の実施の形態１１は、前記各発明の実施の形態のディスプレイ装置１００を、ビデオゲーム装置のディスプレイ装置に応用した場合の発明の実施の形態である。
【０１８１】
図２３において、４００はビデオゲーム装置、４０１はゲームコントローラ、４０２はプレーヤーＡ用リモコン、４０３はプレーヤーＢ用リモコン、４０４は共通プログラムである。
【０１８２】
本発明の実施の形態１１のビデオゲーム装置４００では、ゲームコントローラ４０１が、プレーヤーＡ用リモコン４０２およびプレーヤーＢ用リモコン４０３からの指示に基づいて、共通のゲームプログラム４０４を実行することにより、プレーヤーＡおよびプレーヤーＢは、第１のディスプレイ装置１１０および第２のディスプレイ装置１２０に表示された自分のゲーム画面を見てゲームを実行する。
【０１８３】
本発明の実施の形態１１のビデオゲーム装置４００を使用することにより、従来のＣＲＴディスプレイ装置に比して設置場所が少なくて済むので、省スペース化を図ることが可能となる。
【０１８４】
この場合に、第１の液晶ディスプレイ１１０および第２の液晶ディスプレイ１２０に、広視野角の特徴を有する横電界方式のアクティブマトリクス型液晶表示装置の液晶表示パネルを使用することにより、プレーヤーＡあるいはプレーヤーＢとして、グループで参加することができ、よりゲームの面白さを増加させることが可能である。
【０１８５】
［発明の実施の形態１３］
図２４は、本発明の他の発明の実施の形態（発明の実施の形態１２）である携帯形パーソナルコンピュータの概略構成を示す断面図である。
【０１８６】
本発明の実施の形態１２は、前記各発明の実施の形態のディスプレイ装置１００を、情報処理装置の１つである携帯形パーソナルコンピュータの表示部に応用した場合の発明の実施の形態である。
【０１８７】
図２４において、５００は携帯形パーソナルコンピュータ、５０１は本体部、５０２は表示部であり、図２４（ａ）は、表示部５０２を閉じた状態を示し、図２４（ｂ）は、表示部５０２を開いた状態を示している。
【０１８８】
ここで、前記表示部５０２は、第１の液晶ディスプレイ１１０と、第２の液晶ディスプレイ１２０と、バックライト１３０とから構成される。
【０１８９】
本発明の実施の形態１２の携帯形パーソナルコンピュータ５００を使用することにより、従来のＣＲＴディスプレイ装置に比して設置場所が少なくて済むので、省スペース化を図ることが可能となる。
【０１９０】
また、携帯形パーソナルコンピュータ５００を操作して表示された画像を、顧客と操作する人が同時に同じ画像を見ることできるので、例えば、窓口業務等において使用することより、窓口業務の効率を向上させることが可能となる。
【０１９１】
以上、本発明を発明の実施の形態に基づき具体的に説明したが、本発明は、前記発明の実施の形態に限定されるものではなく、その要旨を逸脱しない範囲で種々変更し得ることは言うまでもない。
【０１９２】
【発明の効果】
本願において開示される発明のうち代表的なものによって得られる効果を簡単に説明すれば、下記の通りである。
【０１９３】
（１）本発明によれば、２個の液晶ディスプレイを使用するディスプレイ装置において、省スペース化を図ることが可能となる。
【０１９４】
（２）本発明によれば、２個の液晶ディスプレイを使用するディスプレイ装置において、消費電力を低減させることが可能となる。
【０１９５】
（３）本発明によれば、２個の液晶ディスプレイを使用するディスプレイ装置において、コストを低減させることが可能となる。
【０１９６】
（４）本発明によれば、２個の液晶ディスプレイを使用するディスプレイ装置において、各液晶ディスプレイの輝度を均一化させることが可能となる。
【０１９７】
（５）本発明によれば、２個の液晶ディスプレイを使用するディスプレイ装置において、各液晶ディスプレイの輝度むらを低減させることが可能となる。
【０１９８】
（６）本発明のディスプレイ装置をモニタ装置に応用することにより、モニタ装置の省スペース化を図り、かつ、両側から表示画像をモニタすることが可能となる。
【０１９９】
また、ディスプレイ装置に、広視野角の特徴を有する横電界方式のアクティブマトリクス型液晶表示装置の液晶表示パネルを使用することにより、多数の人間で同時にモニタすることが可能である。
【０２００】
（７）本発明のディスプレイ装置をビデオゲーム装置のディスプレイ装置に応用することにより、ビデオゲーム装置におけるディスプレイ装置の省スペース化を図り、かつ、両側からゲーム画面を見ることが可能となる。
【０２０１】
また、ディスプレイ装置に、広視野角の特徴を有する横電界方式のアクティブマトリクス型液晶表示装置の液晶表示パネルを使用することにより、グループ同士でゲームに参加することができ、よりゲームの面白さを増加させることが可能である。
【０２０２】
（８）本発明のディスプレイ装置を情報処理装置の表示部に応用することにより、省スペース化を図、かつ、両側から表示画面を見ることが可能となる。
【０２０３】
これにより、例えば、窓口業務の効率を向上させることが可能となる。
【図面の簡単な説明】
【図１】本発明の一発明の実施の形態（発明の実施の形態１）であるディスプレイ装置の概略構成を示す断面図である。
【図２】横電界方式のアクティブマトリクス型液晶表示装置における液晶表示パネルの一画素とその周辺を示す平面図である。
【図３】図２に示す３−３切断線における断面を示す断面図である。
【図４】図２に示す４−４切断線における薄膜トランジスタ（ＴＦＴ）の断面を示す断面図である。
【図５】図２に示す５−５切断線における蓄積容量（Ｃｓｔｇ）の断面を示す断面図である。
【図６】図２に示す液晶表示パネルにおける表示マトリクス部（ＡＲ）の等価回路とその周辺回路の結線図を示す図である。
【図７】図２に示す液晶表示パネルにおける印加電界方向（ＥＤＲ）、ラビング方向（ＲＤＲ）、偏光透過軸（ＭＡＸ１、ＭＡＸ２）の関係を示す図である。
【図８】プラズマ・アドレス液晶パネルの一例の概略構成を示す分解斜視図である。
【図９】図８に示すプラズマ・アドレス液晶パネルの要部断面構造を示す断面図である。
【図１０】本発明の他の発明の実施の形態（発明の実施の形態２）であるディスプレイ装置１００の概略構成を示す断面図である。
【図１１】本発明の他の発明の実施の形態（発明の実施の形態３）であるディスプレイ装置１００の概略構成を示す断面図である。
【図１２】図１１に示すバックライト１３０ａおよびバックライト１３０ｂのより詳細な構成を示す断面図である。
【図１３】本発明の他の発明の実施の形態（発明の実施の形態４）であるディスプレイ装置のバックライトの概略構成を示す断面図である。
【図１４】本発明の他の発明の実施の形態（発明の実施の形態５）であるディスプレイ装置のバックライトの概略構成を示す断面図である。
【図１５】本発明の他の発明の実施の形態（発明の実施の形態６）であるディスプレイ装置のバックライトの概略構成を示す断面図である。
【図１６】図１５に示す反射板１３４の他の例を示す図である。
【図１７】本発明の他の発明の実施の形態（発明の実施の形態７）であるディスプレイ装置のバックライトの概略構成を示す断面図である。
【図１８】本発明の他の発明の実施の形態（発明の実施の形態８）であるディスプレイ装置のバックライトの概略構成を示す断面図である。
【図１９】本発明の他の発明の実施の形態（発明の実施の形態９）であるディスプレイ装置のバックライトの概略構成を示す断面図である。
【図２０】図１９に示す反射板１３４の概略構成を示す平面図である。
【図２１】本発明の他の発明の実施の形態（発明の実施の形態１０）であるディスプレイ装置のバックライトの概略構成を示す断面図である。
【図２２】本発明の他の発明の実施の形態（発明の実施の形態１１）であるモニタ装置の概略構成を示す斜視図である。
【図２３】本発明の他の発明の実施の形態（発明の実施の形態１２）であるビデオゲーム装置の概略構成を示すブロック図である。
【図２４】本発明の他の発明の実施の形態（発明の実施の形態１２）である携帯形パーソナルコンピュータの概略構成を示す断面図である。
【図２５】従来のＣＲＴディスプレイ装置を使用して、複数人がゲーム画面を同時に見る方法を説明するための図であり、画面分割方式を示す図である。
【図２６】従来のＣＲＴディスプレイ装置を使用して、複数人がゲーム画面を同時に見る方法を説明するための図であり、複数装置独立配置方式を示す図である。
【符号の説明】
１０，２０…ＣＲＴディスプレイ装置、１１，１２，２１…表示画面、１００…ディスプレイ装置、１１０，１２０…液晶ディスプレイ、１３０，１３０ａ，１３０ｂ…バックライト、１３１，１３１ａ，１３１ｂ…導光板、１３２，１３２ａ，１３２ｂ…冷陰極管、１３３，１３３ａ，１３３ｂ…反射シート、１３４，１３４ａ，１３４ｂ…反射板、１３５…凹凸部、１３６…開口部、１４０…フレーム、２００…プラズマ・アドレス液晶パネル、２１０，２６０…偏光板、２２０…カラーフィルタ基板、２２１，２５１…透明基板、２２２…透明電極、２２３…カラーフィルタ、２３０…液晶層、２４０…絶縁膜、２４１…仮想電極、２５０…プラズマ基板、２５２…カソード電極、２５３…アノード電極、２５４…プラズマ放電セル、２５５…隔壁、２７０…プラズマ、３００…モニタ装置、４００…ビデオゲーム装置、４０１…ゲームコントローラ、４０２…プレーヤーＡ用リモコン、４０３…プレーヤーＢ用リモコン、４０４…共通プログラム、５００…携帯形パーソナルコンピュータ、５０１…本体部、５０２…表示部、ＳＵＢ…透明ガラス基板、ＧＬ…走査信号線、ＤＬ…映像信号線、ＣＬ…対向電圧信号線、ＰＸ…画素電極、ＣＴ…対向電極、ＧＩ…絶縁膜、ＧＴ…ゲート電極、ＡＳ…ｉ型半導体層、ＳＤ…ソース電極またはドレイン電極、ＰＯＬ…偏光板、ＯＲＩ…配向膜、ＯＣ…オーバーコート膜、ＰＳＶ…保護膜、ＢＭ…遮光膜、ＦＩＬ…カラーフィルタ、ＬＣ…液晶層、ＴＦＴ…薄膜トランジスタ、Ｃｓｔｇ…蓄積容量。
【図１】
2004004917.tif 000003
【図２】
2004004917.tif 000004
【図３】
2004004917.tif 000005
【図４】
2004004917.tif 000006
【図５】
2004004917.tif 000007
【図６】
2004004917.tif 000008
【図７】
2004004917.tif 000009
【図８】
2004004917.tif 000010
【図９】
2004004917.tif 000011
【図１０】
2004004917.tif 000012
【図１１】
2004004917.tif 000013
【図１２】
2004004917.tif 000014
【図１３】
2004004917.tif 000015
【図１４】
2004004917.tif 000016
【図１５】
2004004917.tif 000017
【図１６】
2004004917.tif 000018
【図１７】
2004004917.tif 000019
【図１８】
2004004917.tif 000020
【図１９】
2004004917.tif 000021
【図２０】
2004004917.tif 000022
【図２１】
2004004917.tif 000023
【図２２】
2004004917.tif 000024
【図２３】
2004004917.tif 000025
【図２４】
2004004917.tif 000026
【図２５】
2004004917.tif 000027
【図２６】
2004004917.tif 000028